(57)【特許請求の範囲】
【請求項１】
通信ネットワークを介して訪問歯科診療の受診を希望する患者と訪問歯科診療の開業を検討する歯科医院を仲介するコンピュータシステムであって、
訪問歯科診療を希望又は受診する個人及び福祉施設が備える患者端末機と、訪問歯科診療の開業を検討する歯科医院が備える医院端末機と、訪問歯科診療を行うための医療設備を搭載した診療車が備えるレセプト発行システムを有する車載端末機と、前記患者端末機、前記医院端末機、及び前記車載端末機に通信ネットワークを介して接続される診療情報管理装置と、から構成され、
前記診療情報管理装置は、前記患者端末機からの要求に応答し、前記歯科医院に関するデータベースに記録した診療案内情報及び前記歯科医院の登録情報から前記患者が在住する地域に所在する訪問歯科診療を行う前記歯科医院の登録状況を検索して該患者端末機に送信し、前記患者端末機からの要求に応答して前記患者に関するデータベースに前記患者の各種情報を登録する受診希望患者登録手段と、
前記医院端末機からの要求に応答し、前記患者に関するデータベースに記録した前記患者の登録情報から前記歯科医院が所在する地域に在住する前記患者の登録状況を検索して該医院端末機に送信し、前記医院端末機からの要求に応答して前記歯科医院に関するデータベースに該歯科医院の各種情報を登録する歯科医院開業登録手段と、
前記患者端末機からの要求に応答し、受診予約に関するデータベースに登録した前記歯科医院の受診空時間帯及び受診予約済時間帯からなる受診予約状況を検索して該患者端末機に送信し、前記患者端末機からの要求に応答して前記受診空時間帯に受診予約情報を前記受診予約に関するデータベースに登録する受診予約登録手段と、
前記医院端末機又は前記車載端末機からの要求に応答し、前記受診予約に関するデータベースに登録した前記受診空時間帯と担当患者の受診予約状況を検索して該医院端末機又は該車載端末機に送信する受診予約状況検索手段と、
前記患者端末機、前記医院端末機、又は前記車載端末機からの要求に応答し、指定した患者、歯科医院、又は診療車の受診予約明細を検索して当該端末機に送信する受診予約明細検索手段と、を有することを特徴とする訪問歯科診療仲介ネットワークシステム。
【発明の詳細な説明】
【０００１】
【発明の属する技術分野】
本発明は、通信ネットワークを介して、訪問歯科診療の受診を希望する患者と訪問歯科診療の開業を検討する歯科医院を仲介するシステムに関する。
【０００２】
【従来の技術】
従来、福祉施設、老人ホーム、在宅の寝たきりの高齢者、障害者、病人・怪我人にとって、歯科治療を希望していても、遠く離れた歯科医院に通院できないため、歯科治療が受けられない問題があった。
【０００３】
また、歯科診療を希望する人々の中には、訪問歯科診療制度の存在を知らない人が多く、また、存在を知っていても訪問歯科診療を実施する歯科医院の所在地までは知る手段を持っていない問題があった。
【０００４】
また、訪問歯科診療の実施を検討している歯科医院とって、広告宣伝活動や出張診療範囲の制限により積極的な営業活動が困難である背景があり、訪問歯科診療を実施しても患者確保に対する不安が残る問題があった。
【０００５】
【発明が解決しようとする課題】
本発明は、前述の問題を解決するため、通信ネットワークを介して、訪問歯科診療の受診を希望する患者と訪問歯科診療の開業を検討する歯科医院を仲介するシステムを目的とする。
【０００６】
【課題を解決するための手段】
このため、本発明では、通信ネットワークを介して訪問歯科診療の受診を希望する患者と訪問歯科診療の開業を検討する歯科医院を仲介するコンピュータシステムであって、訪問歯科診療を希望又は受診する個人及び福祉施設が備える患者端末機と、訪問歯科診療の開業を検討する歯科医院が備える医院端末機と、訪問歯科診療を行うための医療設備を搭載した診療車が備えるレセプト発行システムを有する車載端末機と、前記患者端末機、前記医院端末機、及び前記車載端末機に通信ネットワークを介して接続される診療情報管理装置と、から構成され、前記診療情報管理装置は、前記患者端末機からの要求に応答し、前記歯科医院に関するデータベースに記録した診療案内情報及び前記歯科医院の登録情報から前記患者が在住する地域に所在する訪問歯科診療を行う前記歯科医院の登録状況を検索して該患者端末機に送信し、前記患者端末機からの要求に応答して前記患者に関するデータベースに前記患者の各種情報を登録する受診希望患者登録手段と、前記医院端末機からの要求に応答し、前記患者に関するデータベースに記録した前記患者の登録情報から前記歯科医院が所在する地域に在住する前記患者の登録状況を検索して該医院端末機に送信し、前記医院端末機からの要求に応答して前記歯科医院に関するデータベースに該歯科医院の各種情報を登録する歯科医院開業登録手段と、前記患者端末機からの要求に応答し、受診予約に関するデータベースに登録した前記歯科医院の受診空時間帯及び受診予約済時間帯からなる受診予約状況を検索して該患者端末機に送信し、前記患者端末機からの要求に応答して前記受診空時間帯に受診予約情報を前記受診予約に関するデータベースに登録する受診予約登録手段と、前記医院端末機又は前記車載端末機からの要求に応答し、前記受診予約に関するデータベースに登録した前記受診空時間帯と担当患者の受診予約状況を検索して該医院端末機又は該車載端末機に送信する受診予約状況検索手段と、前記患者端末機、前記医院端末機、又は前記車載端末機からの要求に応答し、指定した患者、歯科医院、又は診療車の受診予約明細を検索して当該端末機に送信する受診予約明細検索手段と、を有することを特徴とする。
【０００９】
【発明の実施の形態】
以下、本発明の一実施の形態を図に基づいて詳細に説明する。
【００１０】
図１は本発明の訪問歯科診療仲介ネットワークシステム１００のシステム構成を示す模式図である。
【００１１】
図１に示すように訪問歯科診療仲介ネットワークシステム１００は、訪問歯科診療を希望または受診する個人および福祉施設の人々の患者端末機１と、訪問歯科診療を検討または実施する歯科医院の医院端末機２と、訪問歯科診療の医療設備を搭載した診療車にレセプト発行システムを備えた車載端末機３と、患者端末機１、医院端末機２および車載端末機３がインターネット４を介して接続される診療情報管理装置１０を備えている。
【００１２】
診療情報管理装置１０は、訪問歯科診療仲介業務を遂行するために必要な情報を登録するデータベース２０と、患者端末機１または医院端末機２または車載端末機３からの検索要求を受信してデータベース２０の検索結果をインターネット４を介して送信するＷｅｂサーバー１１と、データベース２０を管理するデータベースサーバー１２を備え、さらに、Ｗｅｂサーバー１１とデータベースサーバー１２をＬＡＮ接続したＬＡＮ１３を備えている。
【００１３】
データベース２０は、案内テーブル２１、福祉施設テーブル２２、患者テーブル２３、歯科医院テーブル２４、都道府県索引テーブル２５、市町村索引テーブル２６、受診予約管理テーブル２７、および受診予約明細テーブル２８を備える。
【００１４】
案内テーブル２１は、福祉施設に対しての訪問歯科診療の受診案内情報と歯科医院に対しての訪問歯科診療の診療案内情報を記録するもので、診療案内情報には、検索キー部である案内区分と、データ部に属する案内情報などの情報を含む。
案内区分は福祉施設と歯科医院に分類する。
【００１５】
福祉施設テーブル２２は、訪問歯科受診を希望または受診する福祉施設の登録情報を記録するもので、福祉施設の登録情報には、第１検索キー部である福祉施設コードと、都道府県コードと市町村コードからなる第２検索キーと、データ部に属する福祉施設名、住所、担当部署名、担当者名、電話番号、メールアドレス、登録年月日などの情報を含む。
【００１６】
患者テーブル２３は、訪問歯科受診を希望または受診する個人および福祉施設人々の患者登録情報を記録するもので、患者登録情報には、福祉施設コードと患者コードからなる第１検索キー部と、都道府県コードと市町村コードからなる第２検索キーと、データ部に属する氏名、性別、生年月日、住所、電話番号、メールアドレス、健康保険種類、健康保険番号、登録年月日などの情報を含む。
患者が個人の場合は、福祉施設コードにＨＩＧＨ−ＶＡＬＵＥを設定する。
【００１７】
歯科医院テーブル２４は、訪問歯科診療を実施する歯科医院の登録情報を記録するもので、歯科医院の登録情報には、第１検索キー部である歯科医院コードと、都道府県コードと市町村コードからなる第２検索キーと、データ部に属する歯科医院名、住所、院長名、担当部署名、担当者名、電話番号、メールアドレス、診療車保有台数、登録年月日などの情報を含む。
【００１８】
都道府県索引テーブル２５は、訪問歯科診療を希望または受診する福祉施設と実施する歯科医院の所在地である都道府県索引情報を記録するもので、都道府県索引情報には、検索キー部である都道府県コードと、データ部に属する都道府県名などの情報を含む。
【００１９】
市町村索引テーブル２６は、訪問歯科診療を希望または受診する福祉施設と実施する歯科医院の所在地である市町村索引情報を記録するもので、市町村索引情報には、都道府県コードと市町村コードからなる検索キー部と、データ部に属する市町村名などの情報を含む。
【００２０】
受診予約管理テーブル２７は、受診予約管理情報を記録するもので、受診予約管理情報には、歯科医院コードと診療車コードと年月日と時刻からなる検索キー部と、データ部に属する予約区分、福祉施設コード、患者コードなどの情報を含む。
予約区分は空と予約済に分類する。
【００２１】
受診予約明細テーブル２８は、受診予約明細情報を記録するもので、受診予約明細情報には、福祉施設コードと患者コードと年月日と開始時刻と終了時刻と歯科医院コードと診療車コードからなる第１検索キー部と、歯科医院コードと診療車コードと年月日と開始時刻と終了時刻と福祉施設コードと患者コードからなる第２検索キー部などの情報を含む。
【００２２】
次に、診療情報管理装置の処理手段群３０が患者端末機１または医院端末機２または車載端末機３の要求信号に応答して、データベース２０の検索更新を行う処理手順について詳細に説明する。図２は本発明の診療情報管理装置の処理手段群３０の処理の流れ図であり、処理手順は以下の２群の手順群から構成される。
【００２３】
すなわち、訪問歯科診療推進手段群３１と訪問歯科受診予約登録手段群３２である。
訪問歯科診療推進手段群３１は、受診希望患者登録手段３１ａと歯科医院開業登録手段３１ｂとから構成されており、
訪問歯科受診予約登録手段群３２は、受診予約登録手段３２ａと受診予約状況検索手段３２ｂと受診予約明細検索手段３２ｃとから構成される。
【００２４】
まず、患者端末機または医院端末機または車載端末機より入力された端末ＩＤ、パスワードの使用権を判定する。使用権があればメニュー選択入力Ｗｅｂページを送信する。以下、受信希望患者登録手段３１ａより説明する。
【００２５】
受診希望患者登録手段３１ａは、患者端末機１からの受診希望患者登録要求を受け付けて案内テーブル２１に登録した受診案内情報と歯科医院テーブル２４に登録した訪問歯科診療を実施する歯科医院の登録情報を都道府県索引テーブル２５と市町村索引テーブル２６と歯科医院テーブル２４により地域別に検索し、福祉施設テーブル２２に福祉施設登録情報を登録して患者テーブル２３に患者登録情報を登録する。
【００２６】
処理手順を以下に示す。
（１）患者端末機１からの受診希望患者登録要求信号に応答して、案内テーブル２１と都道府県索引テーブル２５を検索して受診案内情報と都道府県索引情報一覧を編集出力した受診希望患者登録・歯科医院検索・都道府県選択Ｗｅｂページを要求のあった患者端末機１に送信する。
（２）次に、患者端末機１からの都道府県の選択を受け付けて、市町村索引テーブル２６を検索し、市町村索引情報一覧を編集出力した受診希望患者登録・歯科医院検索・市町村選択Ｗｅｂページを要求のあった患者端末機１に送信する。
（３）次に、患者端末機１からの市町村の選択を受け付けて、歯科医院テーブル２４を検索し、歯科医院登録情報一覧を編集出力した受診希望患者登録・歯科医院検索Ｗｅｂページを要求のあった患者端末機１に送信する。
（４）次に、患者端末機１からの福祉施設登録情報と患者登録情報の入力を受け付けて、福祉施設登録情報を福祉施設テーブル２２に登録し、患者登録情報を患者テーブル２３に登録し、福祉施設登録情報と患者登録情報を編集出力した受診希望患者登録完了Ｗｅｂページを要求のあった患者端末機１に送信する。
【００２７】
歯科医院開業登録手段３１ｂは、医院端末機２からの歯科医院開業登録要求を受け付けて案内テーブル２１に登録した診療案内情報と福祉施設テーブル２２と患者テーブル２３に登録した訪問歯科診療を希望する個人および福祉施設の人々の福祉施設登録情報と患者登録情報を検索し、歯科医院テーブル２４に歯科医院登録情報を登録する。
【００２８】
処理手順を以下に示す。
（１）医院端末機２からの歯科医院開業登録要求信号に応答して、案内テーブル２１と都道府県索引テーブル２５を検索して診療案内情報と都道府県索引情報一覧を編集出力した歯科医院開業登録・福祉施設検索・都道府県選択Ｗｅｂページを要求のあった医院端末機２に送信する。
（２）次に、医院端末機２からの都道府県の選択を受け付けて、市町村索引テーブル２６を検索し、市町村索引情報一覧を編集出力した歯科医院開業登録・福祉施設検索・市町村選択Ｗｅｂページを要求のあった医院端末機２に送信する。
（３）次に、医院端末機２からの市町村の選択を受け付けて、福祉施設テーブル２２と患者テーブル２３を検索し、福祉施設登録情報と患者登録情報一覧を編集出力した歯科医院開業登録・福祉施設検索Ｗｅｂページを要求のあった医院端末機２に送信する。
（４）次に、医院端末機２からの歯科医院登録情報の入力を受け付けて、歯科医院登録情報を歯科医院テーブル２４に登録し、歯科医院登録情報を編集出力した歯科医院開業登録完了Ｗｅｂページを要求のあった医院端末機２に送信する。
【００２９】
受診予約登録手段３２ａは、患者端末機１からの受診予約登録要求を受け付けて受診予約管理テーブル２７に登録した受診予約管理情報を検索して、受診予約明細情報を受診予約明細テーブル２８に登録する。
【００３０】
処理手順を以下に示す。
（１）患者端末機１からの受診予約登録要求信号に応答して、都道府県索引テーブル２５を検索して都道府県索引情報一覧を編集出力した受診予約登録・歯科医院検索・都道府県選択Ｗｅｂページを要求のあった患者端末機１に送信する。
（２）次に、患者端末機１からの都道府県の選択を受け付けて、市町村索引テーブル２６を検索し、市町村索引情報一覧を編集出力した受診予約登録・歯科医院検索・市町村選択Ｗｅｂページを要求のあった患者端末機１に送信する。
（３）次に、患者端末機１からの市町村の選択を受け付けて、歯科医院テーブル２４を検索し、歯科医院登録情報一覧を編集出力した受診予約登録・歯科医院選択Ｗｅｂページを要求のあった患者端末機１に送信する。
（４）次に、患者端末機１からの歯科医院の選択を受け付けて、受診予約管理テーブル２７を検索して本日以降の受診予約管理情報一覧を編集出力した受診予約登録Ｗｅｂページを要求のあった患者端末機１に送信する。
（５）次に、患者端末機１からの受診予約明細情報の入力を受け付けて、予約区分（予約済）と福祉施設コードと患者コードを受診予約管理テーブル２７に登録し、受診予約明細情報を受診予約明細テーブル２８に登録し、受診予約明細情報を編集出力した受診予約登録完了Ｗｅｂページを要求のあった患者端末機１に送信する。
【００３１】
受診予約状況検索手段３２ｂは、医院端末機２または車載端末機３からの受診予約状況検索要求を受け付けて指定した歯科医院と診療車より受信予約管理テーブル２７に登録した空時間帯と予約済時間帯からなる受診予約管理情報を検索する。
【００３２】
処理手順を以下に示す。
（１）医院端末機２または車載端末機３からの受診予約状況検索要求信号に応答して、受診予約状況検索・年月日入力Ｗｅｂページを要求のあった医院端末機２または車載端末機３に送信する。
（２）次に、医院端末機２の場合は歯科医院コードと年月日、車載端末機３の場合は歯科医院コードと診療車コードと年月日の入力を受け付けて、受診予約管理テーブル２７を検索し、入力した年月日以降の受診予約管理情報一覧を編集出力した受診予約状況検索完了Ｗｅｂページを要求のあった医院端末機２または車載端末機３に送信する。
【００３３】
受診予約明細検索手段３２ｃは、患者端末機１または医院端末機２または車載端末機３からの受診予約明細検索要求を受け付けて指定した患者と歯科医院と診療車より受診予約明細テーブル２８に登録した受診予約明細情報を検索する。
【００３４】
処理手順を以下に示す。
（１）患者端末機１または医院端末機２または車載端末機３からの受診予約状況検索要求信号に応答して、受診予約明細検索・年月日入力Ｗｅｂページを要求のあった患者端末機１または医院端末機２または車載端末機３に送信する。
（２）次に、患者端末機１の場合は福祉施設コードと患者コードと年月日、医院端末機２の場合は歯科医院コードと年月日、車載端末機の歯科医院コードと診療車コードと年月日の入力を受け付けて、受診予約明細テーブル２８を検索し、入力した年月日以降の受診予約明細情報一覧を編集出力した受診予約明細検索完了Ｗｅｂページを要求のあった患者端末機１または医院端末機２または車載端末機３に送信する。
【００３５】
以上、本発明の一実施の形態を詳細に説明したが、本発明は、本実施の形態に限られるものではない。本発明の趣旨から逸脱しない範囲内で多様に変更実施することが可能である。
【００３６】
【発明の効果】
本発明によれば、歯科診療を希望しても歯科医院に通院できない人々にとって、インターネットを介して、訪問歯科診療の受診案内情報と訪問歯科診療を実施する歯科医院登録情報一覧が提供されるので、この情報の中から最寄りの歯科医院を選択して歯科治療が受けることができる。
【００３７】
また、選択した最寄りの歯科医院に対して、インターネットを介して、歯科診療の受診予約状況より空き状況を確認して受診予約も行うことができる。
【００３８】
さらに、訪問歯科診療の実施を検討している歯科医院にとっても、インターネットを介して、訪問歯科診療を実施する歯科医院登録情報として公開され、また、訪問歯科診療の受診を希望する福祉施設の登録情報が提供されるので、訪問歯科診療の患者確保の手段として利用することができる。
【図面の簡単な説明】
【図１】本発明の訪問歯科診療仲介ネットワークシステムの構成を示す模式図である。
【図２】本発明の診療情報管理装置の処理手段群の処理の流れを示す流れ図である。
【符号の説明】
１  患者端末機
２  医院端末機
３  車載端末機
４  インターネット
１０  診療情報管理装置
１１  Ｗｅｂサーバー
１２  データベースサーバー
１３  ＬＡＮ
２０  データベース
２１  案内テーブル
２２  福祉施設テーブル
２３  患者テーブル
２４  歯科医院テーブル
２５  都道府県索引テーブル
２６  市町村索引テーブル
２７  受診予約管理テーブル
２８  受診予約明細テーブル
３０  処理手段群
３１  訪問歯科診療推進手段群
３１ａ  受診希望患者登録手段
３１ｂ  歯科医院開業登録手段
３２  訪問歯科受診予約登録手段群
３２ａ  受診予約登録手段
３２ｂ  受診予約状況検索手段
３２ｃ  受診予約明細検索手段
１００  訪問歯科診療仲介ネットワークシステム
【図１】
0003817606.tif 000002
【図２】
0003817606.tif 000003